(57)【要約】【課題】ＥＭＳ非対応機器を容易に制御対象とすることができる電力管理システム及び電力管理装置を提供する。【解決手段】電力管理装置１０は、電力削減が要求されたときは、リモコン制御信号を発信することによりネットワークＩＦが備わっていないＥＭＳ非対応機器３０に対して電力削減運転を実行させる。これにより、ＥＭＳ非対応機器３０が電力削減運転するようになるので、建物２００全体の電力削減を図ることができる。【選択図】図１
2014217157.tif 000002
【特許請求の範囲】
【請求項１】
屋内電力線（８０）を介して給電され、リモコン制御信号を受信することにより動作が設定されるＥＭＳ非対応機器（３０）と、
前記屋内電力線の電力を監視する電力監視装置（２０）と、
前記ＥＭＳ非対応機器を制御する電力管理装置（１０）とを備え、
前記電力管理装置は、
前記リモコン制御信号を記憶した制御信号記憶手段（１６）と、
前記制御信号記憶手段に記憶されている前記リモコン制御信号を前記ＥＭＳ非対応機器に対して発信する制御信号発信手段（１５）と、
前記屋内電力線の電力を削減する場合は、前記制御信号発信手段から電力削減運転を指令するリモコン制御信号を発信し、前記電力監視装置による電力変動に基づいて前記ＥＭＳ非対応機器が前記リモコン制御信号を受信して電力削減運転を実行したと判断する制御手段（１３）と、
備えたことを特徴とする電力管理システム。
【請求項２】
前記制御手段は、前記リモコン制御信号の発信タイミングの前後において前記電力監視装置による電力が所定量以上低下した場合は、前記ＥＭＳ非対応機器が前記リモコン制御信号を受信して電力削減運転を実行したと判断することを特徴とする請求項１記載の電力管理システム。
【請求項３】
屋内電力線を介して給電され、前記電力管理装置から屋内ネットワーク（６０）を介して電力削減運転が指令されることに応じて電力削減運転を実行するＥＭＳ対応機器（３１）を備え、
前記制御手段は、前記ＥＭＳ非対応機器及び前記ＥＭＳ対応機器に対して電力削減運転を選択的に実行し、前記電力監視装置による電力低下が小さい方で電力削減運転を実行することを特徴とする請求項１または２記載の電力管理システム。
【請求項４】
リモコン装置（９０）から出力されたリモコン制御信号を受信する制御信号受信手段（１７）を備え、
前記制御信号記憶手段は、前記制御信号受信手段が受信したリモコン制御信号を記憶し、
前記制御信号発信手段は、前記リモコン制御信号を発信する場合は、前記制御信号記憶手段に記憶された前記リモコン制御信号を読出して発信することを特徴とする請求項１から３の何れか一項に記載の電力管理システム。
【請求項５】
外部に設けられて前記リモコン制御信号をダウンロード可能に記憶した制御信号データ配信サーバ（１００）と、
前記制御信号データ配信サーバからダウンロードした前記リモコン制御信号を前記制御信号記憶手段に記憶するダウンロード手段（１３）と、
を備えたことを特徴とする請求項１から４の何れか一項に記載の電力管理システム。
【請求項６】
外部に設けられた制御信号データ格納サーバ（１１０）と、
前記制御信号記憶手段が記憶しているリモコン制御信号を前記制御信号データ格納サーバへアップロードするアップロード手段（１３）と、
を備えたことを特徴とする請求項１から５の何れか一項に記載の電力管理システム。
【請求項７】
請求項１から６の何れか一項に記載の電力管理システムにおいて使用されることを特徴とする電力管理装置。
【発明の詳細な説明】
【技術分野】
【０００１】
本発明は、ＥＭＳ（エネルギー管理システム）非対応機器を制御可能とする電力管理システム及び電力管理装置に関する。
【背景技術】
【０００２】
近年、地球環境問題の深刻化及びこれに対する関心度の増大に伴い、特にＣＯ2排出を抑制するための省エネ手法の検討が盛んに行なわれている。特に、電気エネルギーについては、原子力発電や太陽光発電の依存度が増えつつあるとはいえ、まだまだ火力発電に依るところが大きく、化石燃料の使用量の削減がＣＯ2の排出削減につながる。さらに、電気エネルギーの消費の実態をみてみると、ビルや工場などの産業分野における消費量比べて家庭における消費量の増加が激しく、その削減が急務とされている。
【先行技術文献】
【特許文献】
【０００３】
【特許文献１】特開２００３−８８００４号公報
【発明の概要】
【発明が解決しようとする課題】
【０００４】
ここでスマートシティーという考え方が脚光を浴びている。街全体で賢く節電することにより全体として電気エネルギーの削減を目指すものである。このような目標を達成するには、各家屋やビル等の建物で使用される電気機器はデマンドレスポンスに対応できることが好ましい。デマンドレスポンスとは、電力供給量が逼迫した時や、系統が不安定になった時、つまり電力会社が電力を供給しにくくなったタイミングに合わせて、需要家（企業や一般家庭など電気を利用しているところ）が電力を削減するように要求し、その要求に応えてデマンドレスポンス対応機器が電力を削減することである。デマンドレスポンス対応機器が増えると、電力削減の幅が広がり、街全体として、より上手に無理なく節電できる余地が広がる。
【０００５】
電力削減のデマンドレスポンスに対応するには、対象となる建物の電力を管理する電力管理装置（制御する側：ＥＭＳ機器）に加えて、その電力管理装置器により制御される電気機器（制御される側：ＥＭＳ対応機器）が必要である。
ＥＭＳ対応機器としては、エアコン、テレビ、レコーダー、照明などに、Ｅｔｈｅｒｎｅｔ（登録商標）、無線ＬＡＮ、ＰＬＣ、Ｅｃｈｏ−ｎｅｔやＺｉｇＢｅｅなどの通信に対応できるネットワークＩＦ（ｉｎｔｅｒｆａｃｅ）が備わっている必要がある（特許文献１参照）。
【０００６】
しかしながら、上記のような電気機器はコスト削減要求が厳しく、製造会社は高価なネットワークＩＦを電気機器に搭載することが難しく、ネットワークＩＦが備わっていないＥＭＳ非対応機器が普及している。このため、ＥＭＳ非対応機器を制御対象とすることができないことから、建物の電力削減を図ることができないのが実情である。
【０００７】
本発明は上記事情に鑑みてなされたもので、その目的は、ＥＭＳ非対応機器を制御対象とすることができる電力管理システム及び電力管理装置を提供することにある。
【課題を解決するための手段】
【０００８】
本発明によれば、電力管理装置からリモコン制御信号を発信することにより、ネットワークインターフェースが備わっていないＥＭＳ非対応機器を制御対象とするようにしたので、ＥＭＳ非対応機器を制御して建物の電力低減を図ることができる。
【図面の簡単な説明】
【０００９】
【図１】第１実施形態におけるシステム全体を概略的に示すブロック図
【図２】電力管理装置を示す正面図
【図３】エアコンの電力削減運転時の電力変化を示す図
【図４】電力管理装置の動作を示すフローチャート
【図５】第２実施形態を示す図１相当図
【図６】図４相当図
【図７】第３実施形態を示す図１相当図
【図８】図２相当図
【図９】図４相当図
【図１０】第４実施形態を示す図１相当図
【図１１】図４相当図
【図１２】第５実施形態を示す図１相当図
【図１３】図４相当図
【図１４】第６実施形態を示す図１相当図
【図１５】図４相当図
【図１６】第７実施形態を示す図１相当図
【図１７】図４相当図
【発明を実施するための形態】
【００１０】
（第１実施形態）
図１に示すように、電力管理システムは、例えば家屋やビルなどの建物２００の電力消費を管理する電力管理装置１０、建物２００の電力を監視する電力監視装置２０、ＥＭＳ非対応機器３０を含んで構成される。電力管理装置１０は、外部ネットワーク網４０とルータ等のゲートウェイ機器５０を介して接続されている。外部ネットワーク網４０は、インターネット、セルラー通信、マイクログリッドなどである。ゲートウェイ機器５０は、外部ネットワーク網４０と屋内ネットワーク６０（Ｅｔｈｅｒｎｅｔ、Ｅｃｈｏ−ｎｅｔ、無線ＬＡＮ、専用通信線等）間を相互接続する通信機器である。
【００１１】
電力監視装置２０は、建物２００の電力供給源に設けられ、屋内電力線８０（ＡＣ１００Ｖ、ＡＣ２００Ｖ、ＤＣ電源等）の総電力を監視し、定期的或いは電力管理装置１０からの指令に応じて総電力を取得して電力管理装置１０に出力する電力監視部２１を備えている。
【００１２】
電力管理装置１０は、建物２００に設けられ、予め設定される機器の電力消費に関する消費情報を使用者に報知する機能を有する。予め設定される機器とは、建物２００において屋内電力線８０を介した給電により電力を消費するＥＭＳ非対応機器３０で、ネットワークＩＦが備わっていない一般的な電気機器である。ＥＭＳ非対応機器３０は、リモコン制御信号を受信することによりその動作が設定される。建物２００にある全てのＥＭＳ非対応機器３０を予め設定する必要はなく、適宜設定可能であるが、電力消費が大きいＥＭＳ非対応機器３０を設定することが好ましい。
【００１３】
電力管理装置１０は、使用者から良く見えるように屋内、例えば一般家庭であればＥＭＳ非対応機器３０が設置されたリビングやダイニングの壁に取付けられる。液晶や有機ＥＬなどのタッチパネル式の表示部１１（図２参照）を備え、電力消費及び電力の使用状況を表示する。電力の使用状況としては、電力管理システムの制御対象となるＥＭＳ非対応機器３０の電力消費に関する情報である。電力管理装置１０は、屋内ネットワーク６０及び電力監視装置２０と接続されたネットワークＩＦ部１２、電力管理装置１０全体を制御するプロセッサ１３（制御手段に相当）、電力監視装置２０が取得した電力を記憶する電力記憶部１４、ＥＭＳ非対応機器３０に対するリモコン制御信号（リモコン装置から出力される赤外線や特定省電力無線などの信号と同一の信号）を発信する制御信号発信部１５（制御信号発信手段に相当。図２参照）、リモコン制御信号を記憶した制御信号記憶部１６（制御信号記憶手段に相当）を備えて構成されている。制御信号発信部１５は、リモコン制御信号が赤外線であれば、ＥＭＳ非対応機器３０にリモコン制御信号が届きやすくするため、表示部１１と同一面に取付けられている。また、室内の広範囲にリモコン制御信号を行き届かせるためには、複数の制御信号発信部１５を設けたり、電力管理装置１０から離間した位置に設置するようにしても良い。尚、リモコン制御信号が電波であれば、電力管理装置１０の内部に設けるようにしても良い。
プロセッサ１３は、図示しないＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）等のメモリを含んで構成されており、予めＲＯＭに記憶された各種の制御プログラムを実行する。
【００１４】
外部ネットワーク網４０には図示しない電力管理サーバが接続されている。この電力管理サーバは外部電力網７０の総電力を管理するもので、総電力が外部電力網７０の供給可能電力に逼迫した場合は、各建物２００に設置される電力管理装置１０に対して電力削減を要求する。
【００１５】
次に電力管理装置１０の動作について説明する。図４に示すように電力監視部２１が電力変動を監視し（Ｓ１０１）、電力記憶部１４が電力値を定期的に記憶し（Ｓ１０２）、ネットワークＩＦ部１２が電力削減要求を受信したかを判定している（Ｓ１０３）。電力管理サーバは、外部電力網７０全体の総使用電力が供給可能電力に逼迫した場合は、各建物２００の電力管理装置１０に対して電力削減を要求する。尚、管理者が電力管理装置１０に対して電力削減操作を実行した場合も電力削減が要求される。
【００１６】
プロセッサ１３が電力削減要求を受信した場合は（Ｓ１０３：ＹＥＳ）、制御可能なＥＭＳ非対応機器３０の電力消費を削減すると判断し（Ｓ１０４）、制御信号記憶部１６から電源をオフすることを選択する（Ｓ１０５）。そして、制御信号発信部１５から電源オフのリモコン制御信号を発信すると（Ｓ１０６）、電源オフのリモコン制御信号を受信したＥＭＳ非対応機器３０は電源をオフするので、建物２００全体の電力を削減することができる。
【００１７】
ここで、プロセッサ１３が制御内容（電源オフ）と電力変動値とを比較し（Ｓ１０７）、制御通りかを判断する（Ｓ１０８）。制御通りであったときは（Ｓ１０８：ＹＥＳ）、制御を終了し、制御通りでなかったときは（Ｓ１０８：ＮＯ）、ステップＳ１０６に移行して制御をやり直す。
【００１８】
ＥＭＳ非対応機器３０がエアコンの場合に、電力削減運転として暖房運転を停止した場合は、図３に示すように電力が大きく低下することから、そのことに基づいてＥＭＳ非対応機器３０が制御通りに停止したと判断することができる。つまり、リモコン制御信号を出力した前後２回において電力を比較し、電力低下が所定量以上であった場合にＥＭＳ非対応機器３０が制御通りに停止したと判断するのである。しかしながら、ＥＭＳ非対応機器３０の電源がオフすると、屋内電力線８０の電力は本来の低下レベルからオーバーシュートし、さらにオーバーシュート後のバウンス（振動）は、同じ屋内電力線８０につながれた他の機器などによる電力負荷状態によってその都度変わる。このため、制御通りかを判断するための学習を実行するのが望ましい。つまり、電力を積分することにより量子化した値を電力変動値とするなどの方法により平滑化した電力変動を記憶し、その変動値と比較することで判定の精度を高めることができる。
【００１９】
また、電力変動の観測は、リモコン制御信号の発信タイミングの前後２回だけとは限らず、より多くのタイミングでサンプリングすることにより電力変動値の微分データが得られるので、その微分データを参照することにより学習精度を高めることができる。
以上のようにして、電力管理装置１０は、電力管理サーバからの電力削減の要求に応えて建物２００全体の電力削減を図ることができる。
尚、１台の電気機器の電力削減だけは電力削減の要求を達成できない場合は、複数のＥＭＳ非対応機器３０を電力削減の対象とすることで対応可能となる。
【００２０】
このような実施形態によれば、次のような効果を奏することができる。
電力管理装置１０は、電力削減が要求されたときは、リモコン制御信号を発信することによりネットワークＩＦが備わっていないＥＭＳ非対応機器３０に対して電力削減運転を実行させるので、ＥＭＳ非対応機器３０が電力削減運転するようになるので、建物２００全体の電力削減を図ることができる。
【００２１】
電力管理装置１０は、ＥＭＳ非対応機器３０が正しくリモコン制御信号を受け取ったかを確認するため、リモコン制御信号を発信した前後の電力を監視し、電力が予想通り変動したことを確認するので、ＥＭＳ非対応機器３０がリモコン制御信号を受信して電力削減運転を実行したかを確実に確認することができる。
【００２２】
（第２実施形態）
この第２実施形態は、図５に示すＥＭＳ対応機器３１とＥＭＳ非対応機器３０とを協調して電力削減運転を実行する機能を付加したことを特徴とする。即ち、ＥＭＳ非対応機器３０とＥＭＳ対応機器３１の混在環境では、それらを協調動作させることは困難であることから、ＥＭＳ非対応機器３０及びＥＭＳ対応機器３１がエアコンの場合には、一方のエアコンが最大負荷で電力を大きく消費させながら、他方のエアコンが停止しているという状態になる。もしくは、使用者がリモコン装置を用いてＥＭＳ非対応機器３０の温度設定を変更する必要がある。このような運転状態のときに電力削減要求を受けてＥＭＳ対応機器３１の制御を変更させてしまうと、電力のバランスが崩れてしまい、結果として電力をより多く消費してしまうという課題がある。つまり、エアコンは最大負荷で動作させると電力パフォーマンスが極めて悪いことから、複数のエアコンを適度に運転する方が総合的に電力削減を図ることができるのである。
【００２３】
そこで、本実施形態では、ＥＭＳ非対応機器３０とＥＭＳ対応機器３１との混在環境において、電力を監視しつつ、両方の制御を行うことで、電力消費が少なくなるような制御を実現した。尚、図６に示すフローチャートでは、第１実施形態の図４で説明した電力削減動作を実行可能であることは前提であり、そのような電力削減動作を利用した協調動作について説明する。以下の第３〜第６実施形態でも図４で説明した電力削減動作が前提であるのは同様である。
【００２４】
図６に示すように、電力記憶部１４が現在の電力Ａを記憶し（Ｓ２０１）、ＥＭＳ対応機器３１に設定温度と室温を問い合せ（Ｓ２０２）、ＥＭＳ対応機器３１から設定温度と室温を受信して記憶する（Ｓ２０３）。次に、プロセッサ１３がＥＭＳ非対応機器３０の室温を電力消費が低下する方向に１℃変化させる（Ｓ２０４）。つまり、暖房時は１℃下げ、冷房時は１℃上げる。そして、室温が安定するまで待機した後、電力記憶部１４が現在の電力Ｂを記憶し（Ｓ２０５）、プロセッサ１３がＥＭＳ非対応機器３０の室温を元に戻す（Ｓ２０６）。
【００２５】
プロセッサ１３がＥＭＳ非対応機器３０の室温を電力消費が低下する方向に１℃変化させる（Ｓ２０７）。つまり、暖房時は１℃下げ、冷房時は１℃上げる。そして、室温が安定するまで待機した後、電力記憶部１４が現在の電力Ｃを記憶し（Ｓ２０８）、プロセッサ１３がＥＭＳ非対応機器３０の室温を元に戻す（Ｓ２０９）。
【００２６】
次にプロセッサ１３が電力Ａ−電力Ｂは電力Ａ−電力Ｃより小さいかを判断する（Ｓ２１０）。つまり、同じ部屋に設置されたＥＭＳ非対応機器３０とＥＭＳ対応機器３１のうち、１℃温度を変化するのに必要となる電力が小さい機器を判断するのである。ＥＭＳ非対応機器３０の方が小さい場合は（Ｓ２１０：ＹＥＳ）、ＥＭＳ非対応機器３０で電力削減運転を実行する（Ｓ２１１）。ＥＭＳ対応機器３１の方が小さい場合は（Ｓ２１０：ＮＯ）、ＥＭＳ対応機器３１で電力削減運転を実行する（Ｓ２１２）。
【００２７】
このような実施形態によれば、ＥＭＳ非対応機器３０とＥＭＳ対応機器３１の混在環境であっても、ＥＭＳ非対応機器３０とＥＭＳ対応機器３１とを協調して電力削減運転することができる。
【００２８】
（第３実施形態）
この第３実施形態は、リモコン装置から発信されたリモコン制御信号を学習する学習機能を付加したことを特徴とする。
電力管理装置１０は、図７に示すように制御信号受信部１７（制御信号受信手段に相当）を備え、使用者がリモコン制御信号を学習させることで、対象機器と機能を増やすことができる。つまり、電力管理装置１０の設置後に新発売となったＥＭＳ非対応機器３０では、リモコン制御信号が変更になっていたり、追加されていたりする可能性がある。これに対応するため、制御信号受信部１７を加えることで、使用者自身が該当するＥＭＳ非対応機器３０に付属のリモコン装置を用いてリモコン制御信号を学習させることができる。
【００２９】
制御信号受信部１７は、図８に示すように電力管理装置１０の表面に設けられており、ＥＭＳ非対応機器３０に付属されているリモコン装置９０から出力されたリモコン制御信号を受信することでリモコン制御内容を学習する機能を有し、対象となる機器や、制御内容を増やすことができる。
【００３０】
表示部１１は、ＥＭＳ非対応機器３０がリモコン制御内容を学習するために学習内容の指示を表示する。即ち、プロセッサ１３は、図９に示すように、登録しようとするＥＭＳ非対応機器３０のメーカ名、機種名などが入力したときは（Ｓ３０１：ＹＥＳ）、記憶させる機能のリモコンボタンを押すよう表示部１１に表示する（Ｓ３０２）。図８に示す例では、対象がエアコンで、温度を下げるボタンを押すことを指示している。使用者がリモコン装置９０の温度を下げるボタンを押すと、その制御に対応したリモコン制御信号が出力されるので、制御信号受信部１７にてリモコン制御信号を受信したときは（Ｓ３０３：ＹＥＳ）、受信したリモコン制御信号を制御信号記憶部１６に記憶する（Ｓ３０４）。全ての機能が完了するまで上記動作を繰返し（Ｓ３０５：ＮＯ）、全ての機能が完了したしたところで（Ｓ３０５：ＹＥＳ）、終了する。
【００３１】
このような実施形態によれば、電力管理装置１０にリモコン学習機能を付加するようにしたので、電力管理装置１０の設置後に新発売されたＥＭＳ非対応機器３０であっても電力管理システムの制御対象とすることができ、電力管理装置１０の汎用性を高めることができる。
【００３２】
（第４実施形態）
この第４実施形態は、外部のサーバからリモコン制御信号をダウンロードする機能を備えたことを特徴とする。
図１０に示すように、制御信号データ配信サーバ１００を用意しておき、制御信号データ配信サーバ１００が有する制御信号格納部１０１から外部ネットワーク網４０を介してリモコン制御信号を受信して制御信号記憶部１６の内容を追加・更新する。制御信号格納部１０１は制御信号更新端末１０２により新規のリモコン制御信号を追加・更新可能である。
【００３３】
図１１に示すように、プロセッサ１３（ダウンロード手段に相当）が制御信号データ配信サーバ１００へ問い合せ（Ｓ４０１）、制御信号データ配信サーバ１００が保有するＥＭＳ非対応機器３０のリストをプロセッサ１３へ送信（ダウンロード）する（Ｓ４０２）。プロセッサ１３が表示部１１に受信したＥＭＳ非対応機器３０のリストを表示する（Ｓ４０３）。次に、使用者により新たに追加されるＥＭＳ非対応機器３０が選択されたときは（Ｓ４０４：ＹＥＳ）、プロセッサ１３が設定されたＥＭＳ非対応機器３０を動作させることで動作確認を行い（Ｓ４０５）、表示部１１に正しく動作したか否かの選択肢を表示する（Ｓ４０６）。正しく動作したが選択されたときは（Ｓ４０７：ＹＥＳ）、終了し、正しく動作したが選択されなかったときは（Ｓ４０７：ＮＯ）、上記動作を繰返す。
【００３４】
このような実施形態によれば、外部に制御信号データ配信サーバ１００を用意し、その制御信号データ配信サーバ１００から電力管理装置１０がリモコン制御信号をダウンロードして記憶するようにしたので、電力管理装置１０の設置後に新発売されたＥＭＳ非対応機器３０であっても、電力管理システムの制御対象とすることができる。
【００３５】
（第５実施形態）
この第５実施形態は、第３実施形態で使用者によりリモコン学習させたデータを、図１２に示す外部の制御信号データ格納サーバ１１０へアップロードすることを特徴とする。
図１３に示すように、プロセッサ１３（アップロード手段に相当）が制御信号記憶部１６に登録されたＥＭＳ非対応機器３０と制御信号データ格納サーバ１１０に登録されたＥＭＳ非対応機器３０のリストとを比較し（Ｓ５０１）、制御信号データ格納サーバ１１０に登録していない場合は（Ｓ５０１：ＮＯ）、該当のＥＭＳ非対応機器３０のデータを制御信号データ格納サーバ１１０へアップロードする（Ｓ５０２）。制御信号データ格納サーバ１１０は、受信したＥＭＳ非対応機器３０のデータを制御信号格納部１１１に追加格納する。
制御信号記憶部１６に記憶したデータが何かの事故で失われた場合は、制御信号データ格納サーバ１１０からデータをダウンロードして制御信号記憶部１６に記憶することで復帰することができる。
このような実施形態によれば、制御信号データ格納サーバ１１０は制御信号記憶部１６のバックアップとして機能するので、制御信号記憶部１６のデータが失われる事故に対してもデータ復帰させることができる。
【００３６】
（第６実施形態）
この第６実施形態は、リモコン制御信号の届く範囲を拡大することを特徴とする。
図１４に示すように、電力管理装置１０とＥＭＳ非対応機器３０とが別の部屋に設置され、電力管理装置１０からのリモコン制御信号がＥＭＳ非対応機器３０に届かない場所にある場合、屋内ネットワーク６０を経由して遠隔発信装置１２０にリモコン制御信号を送出することで、遠隔発信装置１２０は、屋内ネットワーク６０からリモコン制御信号を受信するネットワークＩＦ部１２１と、ネットワークＩＦ部１２１が受信したリモコン制御信号を出力する制御信号発信部１２２とを備えている。
【００３７】
図１５に示すように、プロセッサ１３がＥＭＳ非対応機器用リモコン制御信号を電力管理装置１０のネットワークＩＦ部１２経由で遠隔発信装置１２０へ送出する（Ｓ６０１）。遠隔発信装置１２０は、ネットワークＩＦ部１２がＥＭＳ非対応機器３０に対するリモコン制御信号を受信すると（Ｓ６０２：ＹＥＳ）、受信したリモコン制御信号を制御信号発信部１５から送出するので（Ｓ６０３）、ＥＭＳ非対応機器３０はリモコン制御信号を受信して電力削減運転を実行する。そして、電力監視部２１が制御信号通りにＥＭＳ非対応機器３０が電力削減運転を実行したことを確認する（Ｓ６０４）。
【００３８】
このような実施形態によれば、電力管理装置１０からのリモコン制御信号が届かない場所にＥＭＳ非対応機器３０が設置されている場合であっても、その場所に設置された遠隔発信装置１２０からリモコン制御信号を発信するようにしたので、ＥＭＳ非対応機器３０を遠隔操作して電力削減運転を実行することができる。
【００３９】
（第７実施形態）
この第７実施形態は、ＥＭＳ非対応機器３０への制御が正しく行われたかを監視する機能を付加したことを特徴とする。
図１６に示すように、電力管理装置１０は環境監視部１８と環境記憶部１９が追加されている。本実施形態では、ＥＭＳ非対応機器３０としてエアコン、照明などを想定している。
【００４０】
図１７に示すように、第１実施形態の動作（第１実施形態と同一の動作には同一のステップ番号を付加する）に加えて、プロセッサ１３が環境監視部１８で取得した値と環境記憶部１９で記憶された値とを比較する動作を実行し（Ｓ１０９）、電力変動に加えて環境変動を加味して制御通りかを判断するようになっている（Ｓ１０８）。例えばＥＭＳ非対応機器３０がエアコンの場合は、暖房運転時に電力削減のために設定温度を低下したときに室温が低下したかを温度センサにより判断する。ＥＭＳ非対応機器３０が照明の場合は、電力削減のために電源ＯＦＦしたときに室内の明るさが低下したかを照度センサにより判断したりする。
このような実施形態によれば、電力変動だけでは判別しにくい場合でも、室温や室内の明るさなどの環境から取得されるデータを参照することで、より正確な判断が可能となる。
【００４１】
（その他の実施形態）
本発明は、上記実施形態に限定されることなく、次のように変形または拡張したり、各変形例を上記実施形態と組合せたり、各変形例を組合せるようにしてもよい。
制御対象となるＥＭＳ非対応機器３０毎の電力を検出し、その電力変動に基づいてＥＭＳ非対応機器３０が電力削減運転を実行したかを判断するようにしてもよい。
電力管理装置１０から出力されたリモコン制御信号を反射したり、中継したりすることによりリモコン制御信号がＥＭＳ非対応機器３０に届きやすくするようにしてもよい。
ＥＭＳ非対応機器３０がリモコン制御信号を受信した場合に確認音を発生するように構成されている場合は、その確認音を受音したか否かを参照して電力削減運転を実行したかを判断するようにしてもよい。
【符号の説明】
【００４２】
図面中、１０は電力管理装置、１３はプロセッサ（制御手段、ダウンロード手段、アップロード手段）、１５は制御信号発信部（制御信号発信手段）、１６は制御信号記憶部（制御信号記憶手段）、１７は制御信号受信部（制御信号受信手段）、２０は電力監視装置、３０はＥＭＳ非対応機器、３１はＥＭＳ対応機器、６０は屋内ネットワーク、８０は屋内電力線、１００は制御信号データ配信サーバ、１１０は制御信号データ格納サーバである。
【図１】
2014217157.tif 000003
【図２】
2014217157.tif 000004
【図３】
2014217157.tif 000005
【図４】
2014217157.tif 000006
【図５】
2014217157.tif 000007
【図６】
2014217157.tif 000008
【図７】
2014217157.tif 000009
【図８】
2014217157.tif 000010
【図９】
2014217157.tif 000011
【図１０】
2014217157.tif 000012
【図１１】
2014217157.tif 000013
【図１２】
2014217157.tif 000014
【図１３】
2014217157.tif 000015
【図１４】
2014217157.tif 000016
【図１５】
2014217157.tif 000017
【図１６】
2014217157.tif 000018
【図１７】
2014217157.tif 000019